(57)【特許請求の範囲】
【請求項１】
パンを挟んで加熱調理するためのホットサンドメーカーであって、
上側へ開放される第１開口部を備えた略凹状の形状を有する下型と、
前記下型の上側に設けられ、下側へ開放される第２開口部を備えた略凹状の形状を有し、前記下型との間に前記パンを挟み込む上型と、
前記下型の側面に設けた第１装着部に対し着脱可能に設けられる略棒状の第１把持部と、
前記上型の側面に設けた第２装着部に対し着脱可能に設けられる略棒状の第２把持部と、
を有し、
前記上型及び前記下型は、
前記第１開口部及び前記第２開口部を閉塞する閉じ位置と、前記第１開口部及び前記第２開口部を露出させる開き位置と、の間で開閉可能となるように互いに接続されており、
前記第１装着部は、
前記第１把持部の先端部を略水平方向に受け入れる第１受け入れ部と、
前記第１受け入れ部に受け入れた前記第１把持部の先端部を、手動操作にて緊締する第１緊締部と、
を有し、
前記第２装着部は、
前記第２把持部の先端部を略水平方向に受け入れる第２受け入れ部と、
第２受け入れ部に受け入れた前記第２把持部の先端部を、手動操作にて緊締する第２緊締部と、
を有し、
前記第１把持部の先端部及び第２把持部の先端部は、それぞれ、
Ｕ字状の切り欠きを備えた舌片を有しており、
前記第１受け入れ部及び第２受け入れ部は、それぞれ、
前記舌片が略水平方向に挿入される凹部を有しており、
前記第１緊締部及び第２緊締部は、それぞれ、
前記凹部に設けた雌ねじに螺合され、前記舌片の挿入時に前記切り欠きと係合する雄ねじと、
前記雄ねじと一体回転可能に設けられ、略水平方向に回動可能な操作ハンドルと、
を有することを特徴とするホットサンドメーカー。
【請求項２】
請求項１記載のホットサンドメーカーにおいて、
前記上型及び下型のうち一方は前記側面に係合部を備えるとともに他方は前記側面に前記係合部に対し係合可能な被係合部を備えており、
前記上型は、前記側面のうち前記係合部又は前記被係合部と反対側の部位に前記第２装着部を備えており、
前記下型は、前記側面のうち前記被係合部又は前記係合部と反対側の部位に前記第１装着部を備えており、
前記上型及び下型は、前記係合部と前記被係合部との係合によって開閉可能に構成されるとともに、前記閉じ位置と前記開き位置との中間に位置する中間位置において係止可能となっており、
前記開き位置としたとき前記上型と前記下型とのなす角度は鈍角であり、
前記中間位置としたとき前記上型と前記下型とのなす角度は鋭角である
ことを特徴とするホットサンドメーカー。
【請求項３】
請求項１又は請求項２記載のホットサンドメーカーにおいて、
前記上型及び前記下型は、それぞれ、
前記閉じ位置において互いに当接して閉じ合わされる矩形状の外縁部と、
前記外縁部の内周側に連設される矩形枠状の第１内壁部と、
前記第１内壁部の内周側に連設される矩形枠状の水平面部と、
前記水平面部の内周側に連設される矩形枠状の第２内壁部と、
前記第２内壁部の内周側に連設される矩形状の底面部と、
を有することを特徴とするホットサンドメーカー。
【請求項４】
請求項１又は請求項２記載のホットサンドメーカーにおいて、
前記上型及び前記下型は、それぞれ、
前記閉じ位置において互いに当接して閉じ合わされる矩形状の外縁部と、
前記外縁部の内周側に連設される矩形枠状の第３内壁部と、
前記第３内壁部の内周側に連設される矩形状の底面部と、
を有することを特徴とするホットサンドメーカー。
【請求項５】
請求項３又は請求項４記載のホットサンドメーカーにおいて、
前記上型及び前記下型は、それぞれ、
１枚のステンレス板からなる母材をプレス加工して形成されている
ことを特徴とするホットサンドメーカー。
【請求項６】
請求項３乃至請求項５のいずれか１項記載のホットサンドメーカーにおいて、
前記上型の前記底面部又は前記下型の前記底面部に載置され、所望の文字又は図像が凹凸形状により形成された第１プレートをさらに有する
ことを特徴とするホットサンドメーカー。
【請求項７】
請求項３乃至請求項６のいずれか１項記載のホットサンドメーカーにおいて、
前記上型の前記底面部又は前記下型の前記底面部に載置される第２プレートをさらに有し、
前記第２プレートは、
前記挟み込まれるパンに対して分割用の溝を刻設するための突起部を備える
ことを特徴とするホットサンドメーカー。
【請求項８】
請求項１乃至請求項７記載のホットサンドメーカーにおいて、
前記第１装着部は、
長手方向の長さが相対的に長い長尺型の前記第１把持部、及び、長手方向の長さが相対的に短い短尺型の前記第１把持部、が選択的に着脱可能であり、
前記第２装着部は、
長手方向の長さが相対的に長い長尺型の前記第２把持部、及び、長手方向の長さが相対的に短い短尺型の前記第２把持部、が選択的に着脱可能である
ことを特徴とするホットサンドメーカー。
【発明の詳細な説明】
【技術分野】
【０００１】
本発明は、ホットサンドメーカーに関する。
【背景技術】
【０００２】
従来、パンなどを挟んで加熱することができるホットサンドメーカーが知られている。（例えば、特許文献１参照）。この従来技術のホットサンドメーカーでは、特許文献１の図２（Ｂ）及び段落［００２８］〜［００４０］等に記載されるように、上側プレート４０と、下側プレート２０とが、それぞれ、上側取手６２と、下側取手６０と、に接続されて使用される。
【先行技術文献】
【特許文献】
【０００３】
【特許文献１】特開２０１９−１５０４１６号公報
【発明の概要】
【発明が解決しようとする課題】
【０００４】
上記従来技術のホットサンドメーカーでは、各プレートから取手が着脱できない構造のため、持ち運び時や収納時に不便となる場合があった。
【０００５】
本発明の目的は、手で把持する把持部と、上・下の型とを着脱可能な構造とすることで、分解した状態で運ぶことができ、携帯するときに便利なホットサンドメーカーを提供することにある。
【課題を解決するための手段】
【０００６】
上記目的を達成するために、本願発明は、パンを挟んで加熱調理するためのホットサンドメーカーであって、上側へ開放される第１開口部を備えた略凹状の形状を有する下型と、前記下型の上側に設けられ、下側へ開放される第２開口部を備えた略凹状の形状を有し、前記下型との間に前記パンを挟み込む上型と、前記下型の側面に設けた第１装着部に対し着脱可能に設けられる略棒状の第１把持部と、前記上型の側面に設けた第２装着部に対し着脱可能に設けられる略棒状の第２把持部と、を有し、前記上型及び前記下型は、前記第１開口部及び前記第２開口部を閉塞する閉じ位置と、前記第１開口部及び前記第２開口部を露出させる開き位置と、の間で開閉可能となるように互いに接続されており、前記第１装着部は、前記第１把持部の先端部を略水平方向に受け入れる第１受け入れ部と、前記第１受け入れ部に受け入れた前記第１把持部の先端部を、手動操作にて緊締する第１緊締部と、を有し、前記第２装着部は、前記第２把持部の先端部を略水平方向に受け入れる第２受け入れ部と、第２受け入れ部に受け入れた前記第２把持部の先端部を、手動操作にて緊締する第２緊締部とを有し、前記第１把持部の先端部及び第２把持部の先端部は、それぞれ、Ｕ字状の切り欠きを備えた舌片を有しており、前記第１受け入れ部及び第２受け入れ部は、それぞれ、前記舌片が略水平方向に挿入される凹部を有しており、前記第１緊締部及び第２緊締部は、それぞれ、前記凹部に設けた雌ねじに螺合され、前記舌片の挿入時に前記切り欠きと係合する雄ねじと、前記雄ねじと一体回転可能に設けられ、略水平方向に回動可能な操作ハンドルと、を有することを特徴としている。
【０００７】
本願発明のホットサンドメーカーは、把持部と上型・下型を一体型とせず着脱式とすることにより、分解した状態で運ぶことができるので、携帯するときに把持部が長いものであっても邪魔になりにくく運びやすく便利である。把持部と上型・下型の装着時には、把持部を把持した状態で先端部を上型・下型に備えられた受け入れ部に突っ込み、その把持した状態のままで親指だけ伸ばして緊締部を操作するだけで、突っ込んだ先端部を締めて固定することができる。したがって、装着操作が簡単ですぐ使うことができ、持ち運びがしやすく、限られたスペースにも収納でき、洗浄が行いやすく、野外・屋内のいずれで使用するにおいても取り扱いが便利である。
【発明の効果】
【０００８】
本発明のホットサンドメーカーによれば、手で把持する把持部と、上・下の型とを着脱可能な構造とすることで、分解した状態で運ぶことができ、携帯するときに便利である。
【図面の簡単な説明】
【０００９】
【図１】本発明の一実施形態に係るホットサンドメーカーの斜視図である。
【図２】図１に示した上型の詳細構造を表す正面図である。
【図３】図１に示した下型の詳細構造を表す正面図である。
【図４】図１に示した第１装着部と第１把持部との詳細構造を表す正面図及び側面図である。
【図５】図４に示した第１緊締部の各部品の詳細構造を示す正面図及び側面図である。
【図６】図４の第１装着部に第１把持部を装着する時の操作のフローチャートである。
【図７】本発明の一実施形態に係る第１プレートの構造を表す斜視図及び側面図である。
【図８】図７の第１プレートを使って焼いたパンの斜視図である。
【図９】図１のホットサンドメーカーの閉じ位置、開き位置、中間位置を示す側面図である。
【図１０】上型に水平面部がない変形例を表す正面図である。
【図１１】下型に水平面部がない変形例を表す正面図である。
【図１２】パンを分割する変形例に係る第２プレートの斜視図及び側面図及び正面図である。
【図１３】第２プレートを使って焼いたパンの焼きあがりの状態を示す斜視図である。
【発明を実施するための形態】
【００１０】
以下、本発明の一実施形態を図面を参照して説明する。図１に本発明の一実施形態に係るホットサンドメーカー１の斜視図を示す。
【００１１】
ホットサンドメーカー１は、パンを挟んで加熱調理するための器具である。パンとしては耳のある食パンであってもよく耳のないパンであってもよい。二枚のパンの間に具材となる食材や調味料を挟んで加熱調理してもよい。
【００１２】
ホットサンドメーカー１は、上側へ開放される第１開口部２を備えた略凹状の形状を有する下型３と、下型３の上側に設けられ、下側へ開放される第２開口部４を備えた略凹状の形状を有し、下型３との間に前記パンを挟み込む上型５と、下型３の側面に設けた第１装着部６に対し着脱可能に設けられる略棒状の第１把持部７と、上型５の側面に設けた第２装着部８に対し着脱可能に設けられる略棒状の第２把持部９とを有する。
【００１３】
上型５及び前記下型３は、第１開口部２及び第２開口部４を閉塞する閉じ位置と、第１開口部２及び第２開口部４を露出させる開き位置との間で開閉可能となるように互いに接続されている。
【００１４】
第１装着部６は、第１把持部７の先端部を略水平方向に受け入れる第１受け入れ部１０と、第１受け入れ部１０に受け入れた第１把持部７の先端部を、手動操作にて緊締する第１緊締部１１とを有する。
【００１５】
第２装着部８は、第２把持部９の先端部を略水平方向に受け入れる第２受け入れ部１２と、第２受け入れ部１２に受け入れた前記第２把持部９の先端部を、手動操作にて緊締する第２緊締部１３とを有することを特徴とする。
【００１６】
第１把持部７及び第２把持部９の先端部はＵ字状の切り欠きを備えた舌片２０を有する。上型５の側面には係合部３４が備えられ、下型３の側面には係合部３４に対し係合可能な被係合部３５が備えられている。
【００１７】
図１の方角はホットサンドメーカー１の下型３と上型５とを閉塞して接地面（図示なし）に設置した時、接地面に向かう方向を下方、その逆方向を上方としている。またホットサンドメーカー１の下型３に第１装着部６が設けられている方向を前方向、その逆方向であって被係合部３５が設けられている方向を後方向としている。設置したホットサンドメーカー１を前方から見た時の右方向を右方、左方向を左方としている。同様の方角が図２〜図７、図１０〜図１２に適宜適用される。
【００１８】
図２に図１に示した上型５の詳細構造を示す。図２は上型５の第２開口部４を上方として図示されない接地面に設置し、上方から見たときの正面図である。
【００１９】
上型５は、前記閉じ位置において互いに当接して閉じ合わされる矩形状の外縁部１４と、外縁部１４の内周側に連設される矩形枠状の第１内壁部１５と、第１内壁部１５の内周側に連設される矩形枠状の水平面部１６と、水平面部１６の内周側に連設される矩形枠状の第２内壁部１７と、第２内壁部１７の内周側に連設される矩形状の底面部１８とを有する。
【００２０】
底面部１８は水平面部１６よりも深くなっている、つまり、下方向の高さ位置にある面である。
【００２１】
上型５は、１枚のステンレス板からなる母材をプレス加工して形成されている。
【００２２】
上型５には第２受け入れ部１２が設けられ、第２受け入れ部１２には貫通孔１９が空いている。
【００２３】
図３に図１に示した下型３の詳細構造を示す。図３は下型３の第１開口部２を上方として図示されない接地面に設置し、上方から見たときの正面図である。
【００２４】
下型３は、前記閉じ位置において互いに当接して閉じ合わされる矩形状の外縁部１４と、外縁部１４の内周側に連設される矩形枠状の第１内壁部１５と、第１内壁部１５の内周側に連設される矩形枠状の水平面部１６と、水平面部１６の内周側に連設される矩形枠状の第２内壁部１７と、第２内壁部１７の内周側に連設される矩形状の底面部１８とを有する。
【００２５】
底面部１８は水平面部１６よりも深くなっている、つまり、下方向の高さ位置にある面である。
【００２６】
下型３は、１枚のステンレス板からなる母材をプレス加工して形成されている。
【００２７】
下型３には第１受け入れ部１０が設けられ、第１受け入れ部１０には貫通孔１９が空いている。
【００２８】
図４に、図１に示した第１装着部６と第１把持部７との緊締の詳細構造を表す正面図及び側面図を示す。
【００２９】
図４（ａ）の正面図に示すように、第１把持部７の先端部はＵ字状の切り欠きを備えた舌片２０を有する。第１受け入れ部１０は、舌片２０が略水平方向に挿入される凹部２１を有する。凹部２１は、下型３と一枚板で繋がっている底面と、壁面とにより構成され、舌片２０の先端を第１受け入れ部１０にスライドさせながら差し込んだ時ちょうどはめこめるような寸法になっている。
【００３０】
図４（ｂ）の側面図に示すように、第１緊締部１１は、凹部２１に設けた雌ねじ２２に螺合され、前記舌片２０の挿入時に前記切り欠きと係合する雄ねじ２３と、前記雄ねじ２３と一体回転可能に設けられ、略水平方向に回動可能な操作ハンドル２４を有する。この図では、雌ねじ２２にさらに上方からネジがはめこまれている。第１装着部６は、第１受け入れ部１０と、第１緊締部１１とを含む。
【００３１】
雄ねじ３の下方先端は、図３の下型３の受け入れ部１０に空けられた貫通孔にはめこまれている。すなわち、雄ねじ２３と操作ハンドル２４との間に、受け入れ部１０と、舌片２０とが挟まれている。
【００３２】
第１把持部７には、また、リブ機能を持たせるための浅い凹部３６が形成されている。
【００３３】
第２装着部８と第２把持部９の構造、及び緊締の仕組みも、上述と同様の構造となっているため、これらについては説明を省略する。
【００３４】
図５に、図４に示した第１緊締部１１の各部品の詳細構造を示す。
【００３５】
図５（ａ）は、雌ねじ２２に螺合された雄ねじ２３，雌ねじ２に係合するネジ２５，ネジ２５と雌ねじ２２との間にはめ込まれるスプリング（ばね）２６の側面図である。図５（ｂ）は操作ハンドル２４の正面図及び側面図である。
【００３６】
雄ねじ２３の下端部は図３に示した下型３の第１受け入れ部１０に開けられた貫通孔１９にはめこまれることになる。雄ねじ２３と螺合した雌ねじ２２の上から操作ハンドル２４をかぶせ、雌ねじ２２の上からスプリング２６を挟んでネジ２５をはめこみ工具などで締め付けることで、第１受け入れ部１０に第１緊締部１１を係合させることになる。第１緊締部１１の操作ハンドル２４と、第１受け入れ部１０との間に、第１把持部７の舌片２０がはめこまれ、手動操作によって舌片２０が緊締されることになる。
【００３７】
図６に、図４の第１装着部６に第１把持部７を装着する時の手動操作のフローチャートを示す。前記手動操作は下記工程（Ａ）〜（Ｄ）を含む。
【００３８】
上述したように、本実施形態のホットサンドメーカー１では、下型３の第１装着部６に、第１把持部７が着脱可能に装着できるようになっている。まず工程（Ａ）において、ユーザーの手２７により、下型３の側面に設けられた第１装着部６に第１把持部７の舌片２０が設けられている方の先端を略水平に差し込む。この時、第１装着部６の第１受け入れ部１０にはめこまれた雄ねじ２３（図示なし）と舌片２０が係合するように、雄ねじ２３（図示なし）及び操作ハンドル２４の高さ方向の位置を調整しておく。
【００３９】
工程（Ｂ）は第１受け入れ部１０に第１把持部７の舌片２０が奥まで差し込まれた状態を示す。
【００４０】
工程（Ｃ）において、手２７の親指で操作ハンドル２４を押さえ、右方向から左方向まで親指で略１８０度回転させる。この操作により、雄ねじ２３が操作ハンドル２４と一体となって回転し舌片２０を締め付けることにより、緊締される。
【００４１】
工程（Ｄ）は操作ハンドル２４が１８０度回転し、舌片２０が緊締された状態である。第１把持部７を第１装着部６から取り外すときは上記と逆の操作を行えばよい。
【００４２】
この図では操作ハンドル２４が略１８０度回転することによって舌片２０の緊締が行われているが、緊締に必要な角度は最初に雄ねじ２３や操作ハンドル２４の高さ方向の位置を調節することによって、ユーザーが所望する角度、例えば３０度や６０度などに設定することができる。
【００４３】
本実施形態のホットサンドメーカー１は、上述するように簡単な手動操作で下型３に第１把持部７を着脱することができる。前記手動操作は上述したように例えば片手の親指だけでも行うことができる。
【００４４】
上型５の第２装着部８に第２把持部９を着脱する操作も同じ操作で行うことができる。その時は、各型に各把持部を装着してから、双方を係合させ閉塞させてもよいし、下型３と上型５を係合させた状態で、各型に各把持部を装着させてもよい。
【００４５】
図７に、本発明の一実施形態に係る第１プレート２８の構造を表す斜視図及び側面図を示す。
【００４６】
ホットサンドメーカー１は、上型５の底面部１８又は下型３の底面部１８に載置され、所望の文字又は図像が凹凸形状により形成された第１プレート２８をさらに有する。図７（ａ）の斜視図では、第１プレート２８の表面には文字及び図像が凹凸形状で形成されている。第１プレート２８は、底面部１８にちょうどはまるような大きさや形状となっている。また、図７（ｂ）に示すように、第１プレート２８の文字や図像は、上方向に凸となるようになっている。また、第１プレート２８の文字や図像は、凸となっている面すなわち上方向の面から見た時、パンに表示したい文字や図像が左右反転されたものとなっている。
【００４７】
図８に、図７の第１プレート２８を使って焼いたパン２９の斜視図を示す。第１プレート２８を使って焼いたパン２９は、ホットサンドメーカー１の下型３を第１開口部２が上方となるように接地面に設置し、その底面部１８に第１プレート２８を、図７の下方が下となるように置き、その上にパンを置いて上型５で挟んで焼いたものである。第１プレート２８を使って焼いたパン２９の表面に、第１プレート２８に形成された文字や図像が反転されたものが焦げ目となって表示されるようになっている。
【００４８】
図９に図１のホットサンドメーカー１の閉じ位置、開き位置、中間位置を示す側面図を示す。上型５の側面には係合部３４が備えられ、下型３の側面には係合部３４に対し係合可能な被係合部３５が備えられている。なお、上側５の側面に被係合部が備えられ、下型３の側面に係合部が備えられていてもよい。図９では、上型５の係合部３４と下型３の被係合部３５とを係合して、図示されない接地面に設置している。
【００４９】
図９（ａ）は、下型３と上型５とが第１開口部２及び第２開口部４を閉塞する閉じ位置にある状態を示している。図９（ｃ）は、下型３と上型５とが第１開口部２及び第２開口部４を露出させる開き位置にある状態を示している。下型３と上型５とは、前記閉じ位置と前記開き位置との間で開閉可能となるように互いに接続されている。
【００５０】
上型５は、前記側面のうち係合部３４又は被係合部３５と反対側の部位に前記第２装着部８を備え、下型３は、前記側面のうち前記被係合部３５又は前記係合部３４と反対側の部位に第１装着部６を備える。
【００５１】
上型５及び下型３は、係合部３４と被係合部３５との係合によって開閉可能に構成されるとともに、前記閉じ位置と前記開き位置との中間に位置する中間位置において係止可能となっており、前記開き位置としたとき上型５と下型３とのなす角度は鈍角であり、前記中間位置としたとき上型５と下型３とのなす角度は鋭角である。
【００５２】
図９（ｂ）は、下型３と上型５とが前記閉じ位置と前記開き位置との中間に位置する中間位置にある状態を示している。図９（ｂ）の中間位置において上型５と下型３とのなす角度は鋭角である。図９（ｃ）の開き位置において上型５と下型３とのなす角度は鈍角である。
【００５３】
図９（ｂ）の中間位置において、図示されない接地面に係合部３４が接触し、係止するようになっている。図９（ｃ）の開き位置において、下型３及び第１把持部７は、図示されない接地面から浮き上がっている。
【００５４】
＜実施形態の効果＞
本実施形態のホットサンドメーカー１によれば、第１把持部７及び第２把持部９と下型３及び上型５とを一体型とせず着脱式とすることにより、分解した状態で運ぶことができ、携帯するときに便利である。第１把持部７と下型３、第２把持部９と上型９とを装着した時には、第１把持部７及び第２把持部９をユーザーが手で把持した状態で先端部を第１受け入れ部１０及び第２受け入れ部１２に突っ込み、その把持した状態のままで親指だけ伸ばして第１緊締部１１及び第２緊締部１３を操作するだけで、突っ込んだ先端部を締めて固定することができる。したがって、装着操作が簡単ですぐ使うことができ、便利である。
【００５５】
また、リブ機能を持たせるための浅い凹部を第１把持部７及び第２把持部９に形成することで、第１把持部７及び第２把持部９の強度を補強することができる。上型５及び下型３は、例えば家庭用の場合には表面をフッ素加工してもよい。これにより焦げ付きを防止することができる。また、上型５と下型３とを係合せず、分離した状態で、どちらか一方、または両方をフライパン代わりに使うこともできる。
【００５６】
また、第１把持部７及び第２把持部９と、下型３及び上型５との装着時において、第１把持部７及び第２把持部９の先端部を第１受け入れ部１０及び第２受け入れ部１２の凹部２１に突っ込んだ時、舌片２０の切り欠きと雄ねじ２３との係合により水平方向の位置決めを安定的に行うことができる。またこの状態で操作ハンドル２４を回すことで雄ねじ２３が一体的に回転する。雄ねじ２３は、第１受け入れ部１０及び第２受け入れ部１２に設けた凹部２１に螺合しており、上記のように回転することで第１受け入れ部１０及び第２受け入れ部１２に対して食い込んでいく。この結果、雄ねじ２３が舌片２０を締め付けるので、第１緊締部１１及び第２緊締部１３の緊締機能を確実に実現することができる。
【００５７】
図９（ａ）に示す閉じ位置において上型５の側面及び下型３の側面の同じ側に重なるように第１把持部７及び第２把持部９が設けられることとなる。この構造の場合、上型５・下型３を閉じた状態で設置面に平置きした状態から、上型５・下型３のなす角が鈍角である開き状態まで開くと、互いに反対側となる第１把持部７・第２把持部９の重量によって、上型５も下型３も接地面から浮き上がった（横から見て）逆八の字状態となり不安定な姿勢となる。そこで本実施形態においては、そこまで開ききらない中間位置（鋭角）において、上型５・下型３が静止可能な構造とする。これにより、下側にある下型３を設置面に平置きにし、そこから上型５が斜めに立った状態で、安定的な姿勢で、設置した下型３の上でパンに具材を挟むなどの調理を行ったり、第１プレート２８や第２プレート３１等を置くなどの操作を行うことができる。
【００５８】
また、上型５及び下型３が、それぞれ、外縁部１４、第１内壁部１５、水平面部１６、第２内壁部１７、底面部１８を有することによって、パンの縁をつぶした態様のホットサンドを焼くことができる。
【００５９】
また、ホットサンドメーカー１において、上型５及び下型３が、それぞれ１枚のステンレス板からなる母材をプレス加工して形成されることで、溶接やボルト締めで製作する場合に比べ、ホットサンドメーカー１の熱による歪み、変形、劣化等を抑制することができ、耐久性が向上する。
【００６０】
また、上型５又は下型３の底面部１８に所望の文字又は図像が凹凸形状により形成された第１プレート２８を載置することで、パンの種類、例えば「ハムサンド」「野菜サンド」等を調理後のパン自体に刻印表示することができる。あるいは、飲食店で使用する場合はお店の名前やパンのランド名称等を表示して広告効果を得ることができる。
【００６１】
本実施形態のホットサンドメーカー１においては、下型３と第１把持部７、上型５と第２把持部９とをそれぞれ着脱可能であるため、収納時、洗浄時にも取り扱いがしやすく便利である。ホットサンドメーカー１は家庭内においてガスでも電気調理器でも加熱できるが、電気コード等を特に必要とせず直火で調理することもできるので例えば野外などで使用する際にも持ち運びや収納、洗浄が行いやすいという点で利便性が高い。
【００６２】
＜変形例＞
なお、本発明は、上記実施形態に限られるものではなく、その趣旨及び技術的思想を逸脱しない範囲内で種々の変形が可能である。以下、そのような変形例について説明する。
【００６３】
（１）下型３及び上型５に水平面部１６がないもの
図１〜図３ではホットサンドメーカー１の下型３及び上型５は水平面部１６及び水平面部１６より深い底面部１８の２つを有していた。この変形例では、水平面部１６がなく、パンの外周のつぶしがない下型３と上型５の組み合わせの例を説明する。
【００６４】
図１０に水平面部１６がない上型５の正面図を示す。上型５は、前記閉じ位置において互いに当接して閉じ合わされる矩形状の外縁部１４と、前記外縁部の内周側に連設される矩形枠状の第３内壁部３０と、第３内壁部３０の内周側に連設される矩形状の底面部１８とを有する。
【００６５】
図１１に水平面部１６がない下型３の正面図を示す。下型３は、前記閉じ位置において互いに当接して閉じ合わされる矩形状の外縁部１４と、前記外縁部の内周側に連設される矩形枠状の第３内壁部３０と、第３内壁部３０の内周側に連設される矩形状の底面部１８とを有する。
【００６６】
このような変形例の上型５及び下型５を用いると、パンの縁をつぶさない態様のホットサンドを形成することができる。
【００６７】
（２）プレートでパンを分割するもの
図１２に、パンを分割する変形例に係る第２プレート３１の構造を示す。第２プレート３１は上型５の底面部１８又は下型３の底面部１８に載置されるものであって、挟み込まれるパンに対して分割用の溝を刻設するための突起部３２を備えている。図１２（ａ）は突起部３２を有する第２プレート３１の斜視図、図１２（ｂ）は側面図、図１２（ｃ）は上方から見た正面図である。この変形例では、下型３の底面部１８にこの第２プレート３１を載置し、上にパンを挟んで加熱するものとなっている。
【００６８】
図１３に、第２プレート３１を使って焼いたパン３３の焼きあがりの状態を示す。図１３では、パンが４分割されるように焼きあがっている。このような変形例の第２プレート３１を用いればユーザーがパンを容易に２分割したり４分割できるようにすることができる。図１２では第２プレート３１の突起部３２の形状はパンを４分割するように形成されているが、特にこの形状に限定されるものではない。
【００６９】
（３）把持部の長さを選択できる場合
ホットサンドメーカー１において、第１装着部６は、長手方向の長さが相対的に長い長尺型の第１把持部７、及び、長手方向の長さが相対的に短い短尺型の第１把持部７を選択的に着脱可能とすることができる。また第２装着部８は、長手方向の長さが相対的に長い長尺型の第２把持部９、及び、長手方向の長さが相対的に短い短尺型の第２把持部９、を選択的に着脱可能とすることができる。
【００７０】
例えばキャンプのたき火を用いてホットサンドメーカー１の加熱を行う場合は長尺型の第１把持部７や第２把持部９を下型３及び上型５に装着して使用すれば、火が強くてもユーザーの手が火から離れているので安全である。家庭などで使う場合には短尺型の第１把持部７及び第２把持部９を装着して使用することができる。ホットサンドメーカー１の使用する場面や用途に応じて最適な長さの第１把持部７及び第２把持部７を選択的に装着して使用することができる。
【００７１】
（４）その他
なお、以上の説明において、「垂直」「平行」「平面」等の記載がある場合には、当該記載は厳密な意味ではない。すなわち、それら「垂直」「平行」「平面」とは、設計上、製造上の公差、誤差が許容され、「実質的に垂直」「実質的に平行」「実質的に平面」という意味である。
【００７２】
なお、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【００７３】
また、以上既に述べた以外にも、上記実施形態や各変形例による手法を適宜組み合わせて利用しても良い。
【００７４】
その他、一々例示はしないが、本発明は、その趣旨を逸脱しない範囲内において、種々の変更が加えられて実施されるものである。
【符号の説明】
【００７５】
１                ホットサンドメーカー
２                第１開口部
３                下型
４                第２開口部
５                上型
６                第１装着部
７                第１把持部
８                第２装着部
９                第２把持部
１０              第１受け入れ部
１１              第１緊締部
１２              第２受け入れ部
１３              第２緊締部
１４              外縁部
１５              第１内壁部
１６              水平面部
１７              第２内壁部
１８              底面部
１９              貫通孔
２０              舌片
２１              凹部
２２              雌ねじ
２３              雄ねじ
２４              操作ハンドル
２５              ネジ
２６              スプリング
２７              手
２８              第１プレート
２９              第１プレート使って焼いたパン
３０              第３内壁部
３１              第２プレート
３２              突起部
３３              第２プレートを使って焼いたパン
３４              係合部
３５              被係合部
３６              浅い凹部
【要約】      （修正有）【課題】分解した状態で運ぶことができ、携帯するときに便利なホットサンドメーカーを提供する。【解決手段】下型３と、下型３との間にパンを挟み込む上型５と、下型３の側面に設けた第１装着部６に対し着脱可能に設けられる略棒状の第１把持部７と、上型５の側面に設けた第２装着部８に対し着脱可能に設けられる略棒状の第２把持部９とを有し、上型５及び下型３は開閉可能となるように互いに接続されており、第１装着部６は、第１把持部７の先端部を受け入れる第１受け入れ部１０と、第１受け入れ部１０に受け入れた第１把持部７の先端部を手動操作にて緊締する第１緊締部１１とを有し、第２装着部８は第２把持部９の先端部を受け入れる第２受け入れ部１２と、第２受け入れ部１２に受け入れた第２把持部９の先端部を手動操作にて緊締する第２緊締部１３とを有する。【選択図】図１【図１】
0006953046.tif 000002
【図２】
0006953046.tif 000003
【図３】
0006953046.tif 000004
【図４】
0006953046.tif 000005
【図５】
0006953046.tif 000006
【図６】
0006953046.tif 000007
【図７】
0006953046.tif 000008
【図８】
0006953046.tif 000009
【図９】
0006953046.tif 000010
【図１０】
0006953046.tif 000011
【図１１】
0006953046.tif 000012
【図１２】
0006953046.tif 000013
【図１３】
0006953046.tif 000014